(57)【要約】【課題】  録画予約を、容易に行うことができるようにする。【解決手段】  送信装置１からは、放送される各テレビ番組の種類（ジャンル）を表す選択コードと、放送時刻に関する時刻情報を含む、各テレビ番組それぞれの番組表とともに、選択コードの一覧表が伝送される。受信装置２２では、一覧表が表示され、その中から使用者が、録画を希望する番組の種類に対応する選択コードを指示すると、その選択コードに対応するジャンルの番組すべての録画予約が、番組表を参照しながら行われる。【選択図】図１
2004312758.tif 000002
【特許請求の範囲】
【請求項１】
番組表データに基づく番組表を用いてテレビジョン放送の予約記録を行う記録装置において、
少なくとも番組放送時刻を表す情報、放送チャンネルを表す情報、番組の種類を表す種類情報、及び番組のスポンサー又は番組表のスポンサーの広告情報を含む番組表データに基づく番組表を受信する受信手段と、
前記受信手段により受信された前記番組表データを記録する記録手段と、
番組表を表示するとき、前記記録手段から前記番組表データを読み出して前記番組表を表示させると共に、当該番組表の一部に前記スポンサーの広告を表示させる表示制御手段と、
前記表示制御手段により表示された番組表に基づいて、ユーザが希望する番組の種類を指定する指定手段と、
前記指定手段により指定された番組の種類と一致する前記番組の種類情報を有する番組を前記番組表データの中から検索する検索手段と、
前記検索手段により検索された全ての番組の前記番組放送時刻の情報と放送チャンネルを表す情報に基づいて記録予約を行う予約手段とを備え、
前記指定手段により指定された番組の種類に属する番組であって、前記検索手段により検索された全ての番組の記録を行う
ことを特徴とする記録装置。
【請求項２】
番組表データに基づく番組表を用いてテレビジョン放送の予約記録を行う記録装置の記録方法において、
少なくとも番組放送時刻を表す情報、放送チャンネルを表す情報、番組の種類を表す種類情報、及び番組のスポンサー又は番組表のスポンサーの広告情報を含む番組表データに基づく番組表を受信し、
受信された前記番組表データを記録し、
番組表を表示するとき、記録されている前記番組表データを読み出して前記番組表を表示させると共に、当該番組表の一部に前記スポンサーの広告を表示させ、
表示された番組表に基づいて、ユーザが希望する番組の種類を指定し、
指定された番組の種類と一致する前記番組の種類情報を有する番組を前記番組表データの中から検索し、
検索された全ての番組の前記番組放送時刻の情報と放送チャンネルを表す情報に基づいて、指定された番組の種類に属する番組であって、検索された全ての番組の記録を行う
ことを特徴とする記録方法。
【請求項３】
番組表データに基づく番組表を用いてテレビジョン放送の予約記録を行う記録装置において、
テレビジョン放送により放送されるテレビ番組の少なくとも番組放送時刻を表す情報、放送チャンネルを表す情報、番組のジャンルを表す情報、及び番組のスポンサー又は番組表のスポンサーの広告情報を含む番組表データを受信する受信手段と、
前記受信手段により受信された前記番組表データを記録する記録手段と、
番組表を表示するとき、前記記録手段から前記番組表データを読み出して番組表を表示させると共に、前記番組表の一部に前記番組のジャンルを表す情報に対応するマーク、及び当該番組表の一部に前記スポンサーの広告を表示させる表示制御手段と、
前記表示制御手段により表示された番組表に基づいて、ユーザが希望する番組のジャンルを指定する指定手段と、
前記指定手段により指定された番組のジャンルと一致する前記番組のジャンルを有する番組を前記番組表データの中から検索する検索手段と、
前記検索手段により検索された全ての番組の前記番組放送時刻の情報と放送チャンネルを表す情報に基づいて記録予約を行う予約手段とを備え、
前記指定手段により指定された番組のジャンルに属する番組であって、前記検索手段により検索された全ての番組の記録を行う
ことを特徴とする記録装置。
【請求項４】
番組表データに基づく番組表を用いてテレビジョン放送の予約記録を行う記録装置の記録方法において、
テレビジョン放送により放送されるテレビ番組の少なくとも番組放送時刻を表す情報、放送チャンネルを表す情報、番組のジャンルを表す情報、及び番組のスポンサー又は番組表のスポンサーの広告情報を含む番組表データを受信し、
受信された前記番組表データを記録し、
番組表を表示するとき、記録されている前記番組表データを読み出して番組表を表示させると共に、前記番組表の一部に前記番組のジャンルを表す情報に対応するマーク、及び当該番組表の一部に前記スポンサーの広告を表示させ、
表示された番組表に基づいて、ユーザが希望する番組のジャンルを指定し、
指定された番組のジャンルと一致する前記番組のジャンルを有する番組を前記番組表データの中から検索し、
検索された全ての番組の前記番組放送時刻の情報と放送チャンネルを表す情報に基づいて、指定された番組のジャンルに属する番組であって、前記検索手段により検索された全ての番組の記録を行う
ことを特徴とする記録方法。
【発明の詳細な説明】
【技術分野】
【０００１】
本発明は、例えばテレビジョン放送による番組を予約記録（予約録画）する場合に用いて好適な記録装置および方法に関する。
【背景技術】
【０００２】
従来の、例えばＶＴＲ（ビデオテープレコーダ）などにおいては、テレビジョン放送による番組を、予約録画することができるようになされている。
【発明の開示】
【発明が解決しようとする課題】
【０００３】
しかしながら、従来のＶＴＲでは、テレビジョン放送による番組（以下、適宜テレビ番組という）を予約録画（予約記録）する場合、その番組の放送日、放送チャンネル、開始時刻、および終了時刻などを、ＶＴＲに入力する必要があり、使用者に煩わしさを感じさせる課題があった。
【０００４】
そこで、最近のＶＴＲにおいては、いわゆるＧコードを入力することにより予約録画をすることができるようになされているが、この場合でも、使用者は、例えば新聞などのテレビジョン放送の番組欄を見て、録画しようとする番組のＧコードを調べなければならず、やはり使用者に煩わしさを感じさせる課題があった。
【０００５】
さらに、同一のジャンルの番組（例えば、スポーツ番組や、音楽番組など）のみの録画予約を行う場合でも、各番組それぞれの録画予約を行わなければならず、操作が煩雑になる課題があった。
【０００６】
本発明はこのような状況に鑑みてなされたものであり、テレビ番組を、容易に予約記録（予約録画）することができるようにするものである。
【課題を解決するための手段】
【０００７】
本発明の第１の記録装置は、番組表データに基づく番組表を用いてテレビジョン放送の予約記録を行う記録装置において、少なくとも番組放送時刻を表す情報、放送チャンネルを表す情報、番組の種類を表す種類情報、及び番組のスポンサー又は番組表のスポンサーの広告情報を含む番組表データに基づく番組表を受信する受信手段と、受信手段により受信された番組表データを記録する記録手段と、番組表を表示するとき、記録手段から番組表データを読み出して番組表を表示させると共に、当該番組表の一部にスポンサーの広告を表示させる表示制御手段と、表示制御手段により表示された番組表に基づいて、ユーザが希望する番組の種類を指定する指定手段と、指定手段により指定された番組の種類と一致する番組の種類情報を有する番組を番組表データの中から検索する検索手段と、検索手段により検索された全ての番組の番組放送時刻の情報と放送チャンネルを表す情報に基づいて記録予約を行う予約手段とを備え、指定手段により指定された番組の種類に属する番組であって、検索手段により検索された全ての番組の記録を行うことを特徴とする。
【０００８】
本発明の第１の記録方法は、番組表データに基づく番組表を用いてテレビジョン放送の予約記録を行う記録装置の記録方法において、少なくとも番組放送時刻を表す情報、放送チャンネルを表す情報、番組の種類を表す種類情報、及び番組のスポンサー又は番組表のスポンサーの広告情報を含む番組表データに基づく番組表を受信し、受信された番組表データを記録し、番組表を表示するとき、記録されている番組表データを読み出して番組表を表示させると共に、当該番組表の一部にスポンサーの広告を表示させ、表示された番組表に基づいて、ユーザが希望する番組の種類を指定し、指定された番組の種類と一致する番組の種類情報を有する番組を番組表データの中から検索し、検索された全ての番組の番組放送時刻の情報と放送チャンネルを表す情報に基づいて、指定された番組の種類に属する番組であって、検索された全ての番組の記録を行うことを特徴とする。
【０００９】
本発明の第１の記録装置および方法においては、少なくとも番組放送時刻を表す情報、放送チャンネルを表す情報、番組の種類を表す種類情報、及び番組のスポンサー又は番組表のスポンサーの広告情報を含む番組表データに基づく番組表が受信され、受信された番組表データが記録され、番組表を表示するとき、記録手段から番組表データを読み出して番組表を表示させると共に、当該番組表の一部にスポンサーの広告を表示され、表示された番組表に基づいて、ユーザが希望する番組の種類が指定され、指定された番組の種類と一致する番組の種類情報を有する番組が番組表データの中から検索され、検索された全ての番組の番組放送時刻の情報と放送チャンネルを表す情報に基づいて、指定された番組の種類に属する番組であって、検索された全ての番組の記録が行われる。
【００１０】
本発明の第２の記録装置は、番組表データに基づく番組表を用いてテレビジョン放送の予約記録を行う記録装置において、テレビジョン放送により放送されるテレビ番組の少なくとも番組放送時刻を表す情報、放送チャンネルを表す情報、番組のジャンルを表す情報、及び番組のスポンサー又は番組表のスポンサーの広告情報を含む番組表データを受信する受信手段と、受信手段により受信された番組表データを記録する記録手段と、番組表を表示するとき、記録手段から番組表データを読み出して番組表を表示させると共に、番組表の一部に番組のジャンルを表す情報に対応するマーク、及び当該番組表の一部にスポンサーの広告を表示させる表示制御手段と、表示制御手段により表示された番組表に基づいて、ユーザが希望する番組のジャンルを指定する指定手段と、指定手段により指定された番組のジャンルと一致する番組のジャンルを有する番組を番組表データの中から検索する検索手段と、検索手段により検索された全ての番組の番組放送時刻の情報と放送チャンネルを表す情報に基づいて記録予約を行う予約手段とを備え、指定手段により指定された番組のジャンルに属する番組であって、検索手段により検索された全ての番組の記録を行うことを特徴とする。
【００１１】
本発明の第２の記録方法は、番組表データに基づく番組表を用いてテレビジョン放送の予約記録を行う記録装置の記録方法において、テレビジョン放送により放送されるテレビ番組の少なくとも番組放送時刻を表す情報、放送チャンネルを表す情報、番組のジャンルを表す情報、及び番組のスポンサー又は番組表のスポンサーの広告情報を含む番組表データを受信し、受信された番組表データを記録し、番組表を表示するとき、記録されている番組表データを読み出して番組表を表示させると共に、番組表の一部に番組のジャンルを表す情報に対応するマーク、及び当該番組表の一部にスポンサーの広告を表示させ、表示された番組表に基づいて、ユーザが希望する番組のジャンルを指定し、指定された番組のジャンルと一致する番組のジャンルを有する番組を番組表データの中から検索し、検索された全ての番組の番組放送時刻の情報と放送チャンネルを表す情報に基づいて、指定された番組のジャンルに属する番組であって、検索手段により検索された全ての番組の記録を行うことを特徴とする。
【００１２】
本発明の第２の記録装置および方法においては、番組表データに基づく番組表を用いてテレビジョン放送の予約記録を行う記録装置の記録方法において、テレビジョン放送により放送されるテレビ番組の少なくとも番組放送時刻を表す情報、放送チャンネルを表す情報、番組のジャンルを表す情報、及び番組のスポンサー又は番組表のスポンサーの広告情報を含む番組表データが受信され、受信された番組表データを記録し、番組表を表示するとき、記録されている番組表データが読み出されて番組表を表示させると共に、番組表の一部に番組のジャンルを表す情報に対応するマーク、及び当該番組表の一部にスポンサーの広告が表示され、表示された番組表に基づいて、ユーザが希望する番組のジャンルが指定され、指定された番組のジャンルと一致する番組のジャンルを有する番組を番組表データの中から検索され、検索された全ての番組の番組放送時刻の情報と放送チャンネルを表す情報に基づいて、指定された番組のジャンルに属する番組であって、検索手段により検索された全ての番組の記録が行われる。
【発明の効果】
【００１３】
本発明によれば、容易に録画予約を行うことができる。
【発明を実施するための最良の形態】
【００１４】
以下、図面を参照して、本発明の実施の形態について説明する。
【００１５】
図１は、本発明のテレビジョン放送方法の原理を表している。同図に示すように、放送局側の送信装置１にはアンテナ２が備えられており、このアンテナ２より、電波が、通信衛星、放送衛星などの衛星１１に送られる。衛星１１は、この電波を受信し、所定の変換処理を行った後、各家庭に配置されている受信装置２２に伝送する。受信装置２２は、アンテナ２１によりこの電波を受信し、復調する。
【００１６】
送信装置１は、衛星１１に対して、ビデオ信号とオーディオ信号を、それぞれ異なるチャンネルで伝送する。
【００１７】
図２は、このうちのオーディオ信号の伝送フォーマットを表している。同図に示すように、このオーディオデータのためのチャンネルは、１．７Ｍｂｐｓのビットレートとされ、このビットレートの中に、「オーディオ１」乃至「オーディオ４」の４チャンネルのオーディオデータと、その他のデータのためのデータチャンネルが割り当てられている。そして、これらの「オーディオ１」乃至「オーディオ４」とデータチャンネルに対して、ヘッダと、エラー訂正のためのコード（ＥＣＣ）も割り当てられている。
【００１８】
「オーディオ１」と「オーディオ２」には、放送されるビデオ信号に付随するステレオ（ＬおよびＲチャンネル）のオーディオデータが配置される。また、オーディオ３とオーディオ４には、音楽専用放送用のステレオオーディオデータが配置されている。
【００１９】
一方、４８０Ｋｂｐｓのビットレートを有するデータチャンネルは、図３に示すように、「パケット０」乃至「パケット１４」の１５個のパケットにより構成されており、パケット単位で所定のデータを伝送することができるようになされている。
【００２０】
この実施例においては、この１５個のパケットのうち、所定の数のパケットを用いて、番組表データが伝送されるようになされている。
【００２１】
図４は、番組表データの構造の例を表している。同図に示すように、所定の放送局において、例えば１日に１５本のテレビ番組を放送する場合、各番組ごとに、番組表１乃至番組表１５が形成される。各番組表は、対応する番組を紹介するものであり、例えば図５に示すように、そのテレビ番組を紹介するための所定のシーンの静止画像３枚と、最大１５秒間の解説のためのオーディオ信号と、テキストデータ（後述する表示テキストデータに対応）、ジャンル分けデータ（後述する選択コード（選択マーク）に対応）、時刻情報、その他の番組情報を含むその他のデータ（後述する制御テキストデータに対応）により構成される。
【００２２】
静止画像は、１枚の画像を６４０×４８０画素で構成し、２５６色のカラーで表示するものとすると、例えばＷｉｎｄｏｗｓ（登録商標）の標準のＢＭＰフォーマットに従えば、１枚の画像の容量は、３００ＫＢｙｔｅとなる。従って、３枚の静止画像を表すのに必要な容量は、９００ＫＢｙｔｅとなる。
【００２３】
一方、オーディオ信号は、Ｗｉｎｄｏｗｓ（登録商標）の標準のＷＡＶフォーマットにしたがって、１サンプルを８ビットで表すとともに、サンプリング周波数を、２２．１ｋＨｚとし、モノラルの音声とすると、その容量は３００ＫＢｙｔｅとなる。
【００２４】
テキストデータ（表示テキストデータ）に代表されるその他のデータ（以下、単に、テキストデータという）の容量を、２ＫＢｙｔｅとすると、１つの番組の番組表を表現するのに必要な容量は、約１．２ＭＢｙｔｅとなる。
【００２５】
この番組表データは、毎日、翌日の分を前日の夜に伝送したり、１週間分、１ヶ月分などのまとまったデータを自由に伝送するようにする。
【００２６】
１日分の番組数を１５とした場合、この番組表の１日分の全転送データ量は、１８ＭＢｙｔｅ（＝１．２×１５）となるので、約１６分で転送することができる。１週間分あるいは１ヶ月分伝送する場合においては、その分だけ時間がかかることになるため、転送時間を考慮して、事前に伝送される。
【００２７】
図６は、１つの番組の番組表の表示例を表している。この実施例においては、画面左上方部に１枚の静止画が表示されている。この静止画は、図５に示した３枚の静止画のうちの１枚である。また、その静止画の上方には、この番組のタイトル「エイリアン」がテキストデータ（表示テキストデータ）に対応して表示されている。さらにまた、静止画像の下側には、この番組の原作、脚本、監督の人物名と、この番組を紹介する文字が、テキストデータ（表示テキストデータ）に対応して表示されている。
【００２８】
また、静止画像の右側には、この番組の種類（ジャンル）を表す選択マーク（ジャンルマーク）が、テキストデータ（表示テキストデータ）に対応して表示されている。
【００２９】
なお、番組表データを構成するテキストデータには、上述したように番組表の中に（番組表として）表示されるもの（以下、適宜、表示テキストデータという）の他、その番組のジャンルを表す選択マークに対応する、ユニークなコードとしての選択コードが含まれている（以下、選択コードのように、番組表の中に表示されないテキストデータを、適宜、制御テキストデータという）。さらに、このような選択コードの他、制御テキストデータには、その番組の放送時刻に関する時刻情報（例えば、放送開始時刻とその終了時刻や、放送開始時刻とその放送時間など）が、少なくとも含まれている。また、制御テキストデータには、この他、必要に応じて、番組が放送されるチャンネル（以下、適宜、チャンネル情報という）などを含ませるようにすることもできる。
【００３０】
さらに、画面の右下方には、この番組を提供するスポンサーのための広告表示部が設けられている。この広告表示部には、この番組を提供するスポンサーの他、この番組表を提供するスポンサーの広告を表示するようにすることも可能である。この公告表示部に表示するデータは、静止画像とすることもできるし、表示テキストデータとすることもできる。
【００３１】
番組表データは、以上のような静止画像（ビデオ信号）、音声（オーディオ信号）、およびテキストデータ（表示テキストデータ、制御テキストデータ）で構成される。
【００３２】
図１に示した送信装置１では、選択コードは、番組表データに含める他、その番組表に対応する番組の、例えばビデオ信号に重畳（合成）することができるようになされている。即ち、番組の種類を表す選択コードは、例えば図７に示すように、そのビデオ信号の垂直ブランキング期間のうちの、例えば第１０Ｈ乃至第２１Ｈの範囲のうちの少なくとも１Ｈに重畳されるようになされている。
【００３３】
この場合、受信装置２２（図１）側において、ビデオ信号に重畳されている選択コードを検出することにより、その番組の種類（ジャンル）を認識することができる。
【００３４】
ここで、送信装置１（図１）では、例えば図８や図９に示すような、用いられるすべての選択マークを示した画面（以下、適宜、選択マーク表示画面という）を表示するための画面データ（選択マークの一覧表）が、例えば図４に示した番組表データに加えて送信されるようになされている。即ち、図８や図９に示した画面データが、例えば図４に示した最後の番組表データ（番組表１５）の後などに加えられて送信されるようになされている。なお、選択マーク表示画面データは、選択マークを表示するためのデータの他、その選択マークに対応する選択コードを含んで構成される。
【００３５】
図８において、例えば選択マーク「スクリーン」は、映画の番組を表し、選択マーク「スポーツ」は、スポーツ番組を表す。また、例えば選択マーク「サウンド」は、音楽番組を表し、選択マーク「ステージ」は、ライブ番組などを表す。
【００３６】
なお、テレビ番組のジャンルを細かく分類し、その分類された数のジャンルの選択マークを、例えば１画面に表示するようにしても良いが、これでは、１度に表示される選択マークの数が多くなり、視聴者が、後述するようにして選択（指定）するジャンルの選択マークを探し出すのが困難になる。そこで、送信装置１（図１）側では、テレビ番組のジャンルは、階層的に分類され、各階層ごとに選択マーク表示画面の画面データが生成されて送信されるようになされている。即ち、選択マークの一覧表には、選択マーク（選択コード）が階層化されて記述されている。
【００３７】
図８は、テレビ番組のジャンルを大きく分類したもの（以下、適宜、大分類ジャンルという）を示しており、図９は、図８に示した大分類ジャンルのうちの、ジャンル「スクリーン」を、さらに細かく分類したジャンル、即ちジャンル「スクリーン」の下位階層に属するジャンルを示している。
【００３８】
受信装置２２（図１）では、図８および図９に示した画面データを受信した場合、まず、例えば図８に示した選択マーク表示画面が表示され、そのうちの選択マーク「スクリーン」が指定されると、その下位階層に属するジャンルを表す、図９に示したような選択マーク表示画面が表示されるようになされている（詳細は後述する）。
【００３９】
次に、図１０は、図１の送信装置１の詳細構成を示している。上述した番組表データを構成するテキストデータ、ビデオ信号、またはオーディオ信号は、合成回路４３，Ａ／Ｄ変換器４１、または４４に、それぞれ供給されるようになされている。さらに、合成回路４３には、図８や図９に示したような選択マーク表示画面の画面データを構成するテキストデータも供給されるようになされている。また、テレビ番組（テレビジョン放送）用のビデオ信号またはオーディオ信号は、合成回路３１またはＡ／Ｄ変換器３４に、それぞれ供給されるようになされている。
【００４０】
Ａ／Ｄ変換器４１または４４は、入力された番組表データを構成するビデオ信号またはオーディオ信号を、それぞれＡ／Ｄ変換し、合成回路４３に供給するようになされている。合成回路４３は、番組表データを構成するテキストデータと、Ａ／Ｄ変換器４１または４２それぞれから供給される番組表データのビデオ信号またはオーディオ信号とを合成し、その合成したデータを合成回路３５に出力した後、それに続けて選択マーク表示画面の画面データ（以下、適宜、選択マーク表示画面データという）を、合成回路３５に出力するようになされている。
【００４１】
Ａ／Ｄ変換器３４は、テレビ番組用のオーディオ信号をＡ／Ｄ変換し、合成回路３５に出力するようになされている。合成回路３５は、Ａ／Ｄ変換器３４または合成回路４３それぞれの出力データを、上述した図２に示すフォーマットにしたがって配置し、変調回路３３に出力するようになされている。
【００４２】
合成回路３１には、テレビ番組用のビデオ信号の他、そのテレビ番組のジャンルを表す、図７で説明した選択コードが供給されるようになされており、そこでは、上述したように、ビデオ信号の垂直ブランキング期間の所定の水平走査線上に、選択コードが重畳され、スクランブル回路３２に出力されるようになされている。
【００４３】
スクランブル回路３２では、合成回路３１からのビデオ信号に対し、所定のスクランブル方式（例えば、ラインパーミテイション方式（走査線入れ替え方式）など）でのスクランブルが施され、変調回路３３に出力するようになされている。
【００４４】
変調回路３３は、合成回路３５からの出力信号を、例えばＱＰＳＫ変調するとともに、スクランブル回路３２からの出力信号を、例えばＦＭ変調し、図示せぬ後段の送信回路に出力するようになされている。
【００４５】
以上のように構成される送信装置１においては、少なくとも１日分の番組表示に対応する番組表データを構成するテキストデータ（図６に示したテレビ番組の案内画面に表示される選択マークに対応する選択コードや、そのテレビ番組の時刻情報、チャンネル情報などでなる制御テキストデータ、および番組表内に表示される文字、図形、記号（選択マークを含む）などの表示テキストデータ）、ビデオ信号、またはオーディオ信号が、合成回路４３，Ａ／Ｄ変換器４１、または４４に、それぞれ供給される。Ａ／Ｄ変換器４１または４４では、番組表データのビデオ信号またはオーディオ信号が、それぞれＡ／Ｄ変換され、これによりディジタル信号とされた番組表データのビデオ信号またはオーディオ信号それぞれが、合成回路４３に出力される。
【００４６】
合成回路４３では、番組表データのテキストデータと、Ａ／Ｄ変換器４１または４４それぞれから順次供給される番組表データのビデオ信号またはオーディオ信号とが合成され、図４に示したようなデータ構造にされて、合成回路３５に出力される。
【００４７】
その後、合成回路４３には、図８や図９に示したような選択マーク表示画面用の画面データ（選択マーク表示画面データ）を構成するテキストデータが供給され、合成回路４３では、そのテキストデータが、図４に示した番組表データの最後の部分に追加されて、合成回路３５に出力される（以下、合成回路４３より出力される、図４の番組表データに選択マーク表示画面データが追加されたデータを、番組表／選択マーク画面データという）。
【００４８】
一方、テレビ番組（テレビジョン放送）用のビデオ信号またはオーディオ信号は、合成回路３１またはＡ／Ｄ変換器３４に、それぞれ供給される。Ａ／Ｄ変換回路３４では、テレビ番組用のオーディオ信号が、Ａ／Ｄ変換されることによりディジタル信号とされ、合成回路３５に出力される。
【００４９】
ここで、図１０には、図示していないが、オーディオ信号は、ＬおよびＲチャンネルの２系統あり、Ａ／Ｄ変換器３４では、このＬおよびＲチャンネルのオーディオ信号がＡ／Ｄ変換され、合成回路３５に出力されるようになされている。
【００５０】
合成回路３５では、Ａ／Ｄ変換器３４からのＬまたはＲチャンネルのオーディオ信号が、図２で説明したフォーマットの「オーディオ１」または「オーディオ２」の部分に配置されるとともに、合成回路４３からの番組表／選択マーク画面データが、同じく図２で説明した「データ」（データチャンネル）の部分（但し、「データ」の部分のうちの、番組表／選択マーク画面データにあらかじめ割り当てられたパケット（図３）の部分）に配置される。そして、合成回路３５は、それらに、必要なヘッダやエラー訂正のための符号（以下、ＥＣＣという）を付加することにより、図２に示したフォーマットのオーディオチャンネルのデータを生成し、変調回路３３に出力する。
【００５１】
一方、合成回路３１には、テレビ番組用のビデオ信号の他、そのテレビ番組のジャンルを表す、図７で説明した選択コードが供給される。合成回路３１では、ビデオ信号の垂直ブランキング期間に、選択コードが重畳され、スクランブル回路３２に出力される。
【００５２】
スクランブル回路３２では、合成回路３１から出力された、選択コードが重畳されているビデオ信号がスクランブルされ、変調回路３３に出力される。
【００５３】
変調回路３３では、合成回路３５から出力されたデータ（以下、適宜、オーディオ系のデータという）がＱＰＳＫ変調されるとともに、スクランブル回路３２から出力された信号（以下、適宜、ビデオ系のデータという）がＦＭ変調され、後段の送信回路に出力される。送信回路では、変調回路３３からの変調信号が、所定の周波数帯域の信号になるようにアップコンバートされ、さらに必要なレベルに増幅されて出力される。そして、送信回路から出力された送信信号は、アンテナ（パラボラアンテナ）２（図１）に供給され、そこから衛星１１に向かって出射される。
【００５４】
以上のようにして、送信装置１からは、番組用のビデオ信号およびオーディオ信号の他、少なくとも一日分の番組表データおよび選択マーク表示画面データが送出される。なお、番組表データに時刻情報を含ませること、および番組用のビデオ信号に、そのジャンルを表す選択コードを重畳することについては、少なくともそのうちの一方を行うようにすれば良い。
【００５５】
次に、アンテナ２（図１）からの電波は、衛星１１で受信され、その内蔵するトランスポンダ（図示せず）で増幅され、地上に向かって出射される。この衛星１１からの電波は、受信側のアンテナ２１で受信され、その受信信号は、受信装置２２に供給される。
【００５６】
図１１は、受信装置２２の詳細構成を示している。アンテナ２１からの受信信号は、図示せぬ受信回路に出力され、そこで所定の周波数帯域の信号にダウンコンバートされることにより、ＩＦ信号（中間周波数の信号）とされ、復調回路５１に供給されるようになされている。
【００５７】
復調回路５１は、受信回路からのＩＦ信号を、ビデオ系のデータまたはオーディオ系のデータに復調し、それぞれをデスクランブル回路５２または分離回路５６に出力するようになされている。なお、復調回路５１は、復調したオーディオ系のデータ（図２）に対し、それに付加されているＥＣＣにしたがって、誤り訂正処理を施すようにもなされている。
【００５８】
デスクランブル回路５２は、復調回路５１からのビデオ系のデータをデスクランブルし、これにより送信装置１のスクランブル回路３２でかけられたスクランブルを解き、その結果得られる信号、即ち（選択コードが重畳された）テレビ番組用のビデオ信号を、合成回路５４および判定回路１０１に出力するようになされている。
【００５９】
合成回路５４は、入力部８１の操作に対応して、デスクランブル回路５２，Ｄ／Ａ変換器７６、およびＶＴＲ９２のうちのいずれかの出力を選択し、ＣＲＴ５５に出力するようになされている。なお、合成回路５４は、Ｄ／Ａ変換器７６の出力を選択した場合、キャラクタジェネレータ７８からテキストデータが出力されているときには、Ｄ／Ａ変換器７６およびキャラクタジェネレータ７８の出力を合成し（例えば、Ｄ／Ａ変換器７６の出力に、キャラクタジェネレータ７８の出力を重畳し）、ＣＲＴ５５に出力するようになされている。
【００６０】
ＣＲＴ５５は、合成回路５４の出力を、その画面上に表示するようになされている。なお、ＣＲＴ５５の画面上には、例えば透明な部材でなるタッチセンサ９３が設けられており、タッチセンサ９３は、ＣＲＴ５５の画面上のいずれかの位置が、視聴者（使用者）によって触れられると（タッチされると）、その位置を検出し、この検出した位置に関する位置情報を、制御回路８２に出力するようになされている。
【００６１】
判定回路１０１は、デスクランブル回路５２の出力であるテレビ番組用のビデオ信号に、選択コードが重畳されている場合、その選択コードを抽出し、制御回路８２に出力するようになされている。
【００６２】
分離回路５６は、復調回路５１からのオーディオ系のデータから、図２に示した「オーディオ１」および「オーディオ２」の部分に配置されたデータ、即ちテレビ番組用のＬおよびＲチャンネルのオーディオ信号を抽出し、Ｄ／Ａ変換回路５７に出力するようになされている。さらに、分離回路５６は、復調回路５１からのオーディオ系のデータから、図２に示した「データ」の部分（データチャンネル）に配置されたデータ即ち番組表／選択マーク画面データを抽出し、分離回路７１に出力するようになされている。
【００６３】
Ｄ／Ａ変換回路５７は、分離回路５６からのテレビ番組用のオーディオ信号を、Ｄ／Ａ変換することによりアナログ信号にして、合成回路５８に出力するようになされている。合成回路５８は、Ｄ／Ａ変換器５７，７７、およびＶＴＲ９２の出力であるオーディオ信号のうちのいずれかを選択し、スピーカ５９に供給するようになされている。スピーカ５９は、合成回路５８からの信号を、音声として出力するようになされている。
【００６４】
分離回路７１は、分離回路５６からのデータが、番組表データであった場合、それをテキストデータ（Ｔ）、ビデオ信号（Ｖ）、およびオーディオ信号（Ａ）に分離して、ハードディスク７５に出力するようになされている。さらに、分離回路７１は、分離回路５６からのデータが、選択マーク表示画面データを構成するテキストデータであった場合には、それをそのままハードディスク７５に出力するようになされている。
【００６５】
ハードディスク７５は、制御回路８２に制御され、分離回路７５から出力されたデータを記憶（記録）するようになされている。そして、ハードディスク７５に記録されたデータは、制御回路８２の制御の下、そこから読み出され、キャラクタジェネレータ７８，Ｄ／Ａ変換器７６、または７７に出力されるようになされている。
【００６６】
キャラクタジェネレータ７８は、ハードディスク７５からのデータ（番組表データのうちの表示テキストデータまたは選択マーク表示画面データ）に対応したキャラクタ（例えば、文字や記号、図形など）を生成し、合成回路５４に出力するようになされている。Ｄ／Ａ変換器７６は、ハードディスク７５からのデータ（番組表データを構成するデータのうちのビデオ信号）をＤ／Ａ変換し、合成回路５４に出力するようになされている。Ｄ／Ａ変換器７７は、ハードディスク７５からのデータ（番組表データを構成するデータのうちのオーディオ信号）をＤ／Ａ変換し、合成回路５８に出力するようになされている。
【００６７】
入力部８１は、後述するようにしてＣＲＴ５５に表示される番組表（図６）に対応するテレビ番組の記録予約を行う場合に操作されるようになされている。入力部８１は、自身が操作されることによる所定の入力があると、その所定の入力があったことを示す制御信号（以下、適宜、操作信号という）を、制御回路８２に出力するようになされている。
【００６８】
制御回路８２は、入力部８１から制御信号の入力があったときに、ＣＲＴ５５に表示されている番組表（図６）の番組表データを構成する制御テキストデータのうちの時刻情報を、ハードディスク７５から読み出し、その時刻情報に基づいて、ＶＴＲ９２に対し、録画予約（記録予約）を行うようになされている。さらに、制御回路８２は、タッチセンサ９３からの位置情報に基づいて、ＶＴＲ９２によって記録（録画）するジャンルの番組を認識し、そのジャンルを表す選択コードを、メモリ９１に記憶させるようになされている。そして、制御回路８２は、メモリ９１に記憶された選択コードと、判定回路１０１から供給される選択コード、またはハードディスク７５に記録された番組表データのうちの制御テキストデータの１つである選択コードとを比較し、その比較結果に基づいて、ＶＴＲ９２に、番組の録画（記録）を行わせ、またはＶＴＲ９２に対し、録画予約を行うようになされている。
【００６９】
ＶＴＲ９２には、図示していないが、デスクランブル回路５２またはＤ／Ａ変換器５７それぞれの出力、即ちテレビ番組用のビデオ信号またはオーディオ信号が供給されるようになされている。ＶＴＲ９２は、制御回路８２の制御の下、デスクランブル回路５２またはＤ／Ａ変換器５７それぞれから供給されるテレビ番組用のビデオ信号またはオーディオ信号を録画（記録）し、また記録したビデオ信号またはオーディオ信号を、それぞれ合成回路５４または５８に出力するようになされている。また、ＶＴＲ９２に対しては、制御回路８２によって録画予約を行うことができるようになされている。
【００７０】
次に、その動作について説明する。上述したようにして送信装置１（図１）から送出された電波は、衛星１１を介してアンテナ２１で受信され、その受信信号は、受信回路を介して復調回路５１に供給される。
【００７１】
復調回路５１では、受信回路からの受信信号（ＩＦ信号）が、ビデオ系のデータまたはオーディオ系のデータに復調され、それぞれがデスクランブル回路５２または分離回路５６に出力される。
【００７２】
デスクランブル回路５２においては、復調回路５１からのビデオ系のデータがデスクランブルされ、合成回路５４を介してＣＲＴ５５に出力されて表示される。
【００７３】
一方、分離回路５６では、復調回路５１からのオーディオ系のデータから、テレビ番組用のＬおよびＲチャンネルのオーディオ信号が抽出され、Ｄ／Ａ変換回路５７に出力される。Ｄ／Ａ変換回路５７では、分離回路５６からのテレビ番組用のオーディオ信号がＤ／Ａ変換され、合成回路５８を介してスピーカ５９に供給されて出力される。
【００７４】
以上のようにしてテレビ番組の画像および音声が出力される。
【００７５】
なお、受信装置２２が、複数のテレビ番組のチャンネルを受信することができるようになされている場合において、どのチャンネルのテレビ番組を受信するかは、入力部８１を操作することにより選択することができるようになされている。
【００７６】
次に、この受信装置２２では、上述した番組表（図６）によって、ＶＴＲ９２に対する録画予約を行うことができるようになされている。即ち、分離回路５６は、復調回路５１からのオーディオ系のデータに、番組表／選択マーク画面データが含まれていると、そのデータを抽出（分離）し、分離回路７１に出力する。
【００７７】
分離回路７１では、分離回路５６からの番組表／選択マーク画面データのうちの番組表データが、テキストデータ（表示テキストデータおよび制御テキストデータの両方）、ビデオ信号、およびオーディオ信号に分離され、ハードディスク７５に出力されて記録される。そして、入力部８１が操作されると、制御回路８２は、ハードディスク７５を制御し、そこから、番組表データを構成する表示テキストデータ、ビデオ信号、またはオーディオ信号それぞれが、キャラクタジェネレータ７８，Ｄ／Ａ変換器７６、または７７に供給されるように制御する。
【００７８】
キャラクタジェネレータ７８では、ハードディスク７５からの表示テキストデータに対応したキャラクタが生成され、合成回路５４に出力される。同時に、Ｄ／Ａ変換器７６では、ハードディスク７５からの番組表データのビデオ信号が、Ｄ／Ａ変換され、合成回路５４に出力される。
【００７９】
合成回路５４では、キャラクタジェネレータ７８からのキャラクタと、Ｄ／Ａ変換器７６からのビデオ信号が合成され、ＣＲＴ５５に出力される。
【００８０】
これにより、図６で説明したような番組表が表示される。
【００８１】
なお、Ｄ／Ａ変換器７７では、必要に応じて、ハードディスク７５からの番組表データのオーディオ信号がＤ／Ａ変換され、合成回路５８を介してスピーカ
５９に供給されて出力される。
【００８２】
制御回路８２は、入力部８１の操作に対応して、ハードディスク７５から読み出す番組表データを変えるようになされており、これによりＣＲＴ５５には、ハードディスク７５に記憶された番組表データすべてに対応する番組表を表示することができるようになされている。但し、ハードディスク７５に記録された番組表を、所定の時間（例えば、３０秒など）ごとに読み出して、ＣＲＴ５５に出力するようにし、これにより、ＣＲＴ５５において、所定の時間ごとに番組表を、順次表示させるようにすることもできる。
【００８３】
視聴者は、ＣＲＴ５５に表示された番組表を見ながら、録画を希望する番組を、入力部８１を操作することにより選択する。これにより、入力部８１からは、その操作に対応した操作信号が制御部８２に出力される。
【００８４】
制御回路８２は、いまハードディスク７５から読み出し、ＣＲＴ５５に表示している番組表を認識しており、入力部８１から制御信号を受信すると、そのときＣＲＴ５５に表示されている番組表に対応する番組表データを構成する制御テキストデータを、ハードディスク７５から読み出す。
【００８５】
そして、制御回路８２では、その制御テキストデータのうちの時刻情報から、いまＣＲＴ５５に表示されている番組表に対応する番組の放送時刻、即ち、例えば放送開始時刻とその終了時刻や、放送開始時刻とその放送時間などが認識され、その時刻に放送される番組、即ち入力部８１が操作されたときに、ＣＲＴ５５に表示されていた番組表に対応する番組を記録するように、ＶＴＲ９２に対し、録画予約が行われる。
【００８６】
従って、視聴者は、ＣＲＴ５５に表示される番組表を見て、そこに、録画を希望するものが表示された状態で、入力部８１を操作するだけで、録画予約を行うことができる。即ち、容易に、録画予約を行うことができる。
【００８７】
なお、制御回路８２では、ハードディスク７５から読み出された制御テキストデータにチャンネル情報が含まれている場合には、上述の放送時刻になると、そのチャンネル情報に対応するチャンネルを復調するように、復調回路５１が制御されるようになされている。
【００８８】
また、ＶＴＲ９２が、録画予約機能を備えていない場合には、制御回路８２が、上述した放送時刻になると、ＶＴＲ９２を、記録動作を開始するように制御するようにすることができる。
【００８９】
ところで、一般的に、録画を希望するテレビ番組のジャンルは、視聴者ごとにほぼ一定している。即ち、視聴者は、例えば映画のジャンルに属するテレビ番組だけ録画を希望する場合や、また映画の中でも、例えばいわゆるアクション映画のジャンルに属するテレビ番組だけ録画を希望する場合などがある。
【００９０】
このような場合、上述したようにして、ＣＲＴ５５に表示される番組表を変えながら、アクション映画のジャンルに属するテレビ番組の録画予約を、入力部８１を操作して行わなければならないのは、視聴者に煩わしさを感じさせることになる。
【００９１】
そこで、図１１の受信装置２２では、録画を所望するジャンルを指定することにより、そのジャンルに属するテレビ番組すべての予約録画を行うことができるようになされている。
【００９２】
即ち、分離回路５６では、復調回路５１からのオーディオ系のデータから、上述した選択マーク表示画面データが抽出（分離）され、分離回路７１に出力される。
【００９３】
分離回路７１では、分離回路５６からの番組表／選択マーク画面データのうちの選択マーク表示画面データが、ハードディスク７５に出力されて記録される。そして、入力部８１が操作されると、ハードディスク７５から、そこに記録されている選択マーク表示画面データのうちの、最上位の階層に属するもの（テレビ番組のジャンルを大きく分類したもの）が読み出され、キャラクタジェネレータ７８および合成回路５４を介して、ＣＲＴ５５に出力される。
【００９４】
そして、図１２のフローチャートに示すように、まずステップＳ１１において、ＣＲＴ５５に、ハードディスク７５から読み出された最上位階層の選択マーク表示画面が表示される。
【００９５】
即ち、例えば図８および図９で説明したような選択マーク表示画面データが、送信装置１（図１）から伝送され、ハードディスク７５に記録されている場合には、ステップＳ１１では、図８に示した選択マーク表示画面が、ＣＲＴ５５に表示される。
【００９６】
そして、ステップＳ１２進み、ＣＲＴ５５に表示された選択マーク表示画面の中のいずれかの選択マークを選択（指示）する入力があったか否かが、制御回路８２によって判定される。ステップＳ１２において、選択マークを選択する入力がなかったと判定された場合、ステップＳ１３に進み、選択マーク表示画面の表示を終了するように指示する終了入力があったか否かが、制御回路８２によって判定される。ステップＳ１３において、終了入力がなかったと判定された場合、ステップＳ１１に戻り、ステップＳ１１からの処理を繰り返す。また、ステップＳ１３において、終了入力があったと判定された場合、処理を終了する。
【００９７】
一方、ステップＳ１２において、選択マークを選択する入力があったと判定された場合、ステップＳ１４に進み、その選択された選択マークに対応する選択コードが、メモリ９１に記憶される。
【００９８】
ここで、選択マークを選択する入力は、視聴者が、ＣＲＴ５５に表示された選択マーク表示画面を見ながら、録画を所望するジャンルの選択マークが表示された画面上の位置を、例えば指先などでタッチすることにより行われる。
【００９９】
視聴者がタッチした画面上の位置は、タッチセンサ９３により検知され、その位置情報が制御回路８２に供給される。制御回路８２では、タッチセンサ９３からの位置情報から、視聴者が指示した選択マークが認識され、その選択マークに対応する選択コードが、ハードディスク７５に記録された選択マーク表示画面データの中から検索される。さらに、制御回路８２においては、検索された選択コードが、メモリ９１に転送され、これにより、上述したようにして選択された選択マークに対応する選択コードが、メモリ９１に記憶される。
【０１００】
以上のようにして、選択コードが、メモリ９１に記憶されると、ステップＳ１５に進み、その視聴者が指示した選択マークが表すジャンル（以下、指示ジャンルという）に、下位階層のジャンル（指示ジャンルを、さらに細かく分類したジャンル）があるか否かが、制御回路８２によって判定される。ステップＳ１５において、指示ジャンルに、下位階層のジャンルがないと判定された場合、ステップＳ１１に戻り、再びステップＳ１１からの処理を繰り返す。
【０１０１】
また、ステップＳ１５において、指示ジャンルに下位階層のジャンルがあると判定された場合、ステップＳ１６に進み、その下位階層に属するジャンルを含む選択マーク表示画面の画面データが、ハードディスク７５から読み出され、キャラクタジェネレータ７８および合成回路５４を介して、ＣＲＴ５５に出力されて表示される。
【０１０２】
これにより、例えば図８に示した選択マーク表示画面が表示されている場合に、選択マーク「スクリーン」が、視聴者によって選択されたときには、その下位階層の選択マーク表示画面である、図９に示したものが、ＣＲＴ５５に表示される。
【０１０３】
その後、ステップＳ１７に進み、ステップＳ１６で表示された下位階層の選択マーク表示画面の中のいずれかの選択マークを選択する入力が、上述したようにして視聴者によりなされたか否かが、制御回路８２によって判定される。ステップＳ１７において、選択マークを選択する入力があったと判定された場合、ステップＳ１４に戻り、その選択された選択マークに対応する選択コードが、上述したようにしてメモリ９１に記憶され、その後、ステップＳ１５以下の処理が行われる。
【０１０４】
この場合、ステップＳ１５に続くステップＳ１６で、例えば図９に示した選択マーク表示画面が表示され、ステップＳ１７で、その画面の中の、例えば選択マーク「アクション映画」が、視聴者によって選択（指示）されたときに、ジャンル「アクション映画」をさらに細かく分類した下位階層の選択マーク表示画面があれば、ステップＳ１４およびＳ１５を介して、再びステップＳ１６に戻り、ジャンル「アクション映画」をさらに細かく分類したジャンルの選択マーク表示画面の表示が行われる。
【０１０５】
なお、この場合、ステップＳ１７で入力があったと判定された選択コード（下位階層の選択コード）の上位階層の選択コードが、メモリ９１に記憶されているので、下位階層の選択コードは、この上位階層の選択コードに代えて記憶される。
【０１０６】
一方、ステップＳ１７において、選択マークを選択する入力がなかったと判定された場合、ステップＳ１８に進み、ステップＳ１６で表示された下位階層の選択マーク表示画面から、最上位階層の選択表示画面に戻る（復帰）するように指示する復帰入力があったか否かが判定される。
【０１０７】
ステップＳ１８において、復帰入力があったと判定された場合、ステップＳ１１に戻り、再びステップＳ１１からの処理を繰り返す。また、ステップＳ１８において、復帰入力がなかったと判定された場合、ステップＳ１９に進み、ステップＳ１３における場合と同様に、終了入力があったか否かが判定される。ステップＳ１９において、終了入力がなかったと判定された場合、ステップＳ１６に戻り、再びステップＳ１６からの処理を繰り返す。また、ステップＳ１９において、終了入力があったと判定された場合、処理を終了する。
【０１０８】
なお、メモリ９１には、以上の処理により複数の異なる選択コードを記憶させるようにすることができる。
【０１０９】
以上のようにして、視聴者が録画を希望するテレビ番組のジャンルを表す選択コードがメモリ９１に記憶されると、制御回路８２では、図１３に示すフローチャートにしたがって、メモリ９１に記憶された選択コードと同一の選択コードを含む番組表データが、ハードディスク７５から検索され、その番組表データ（制御テキストデータ）に基づいて、その番組の録画予約が行われる。
【０１１０】
即ち、制御回路８２では、まずステップＳ３１において、ハードディスク７５に記録された番組表データのインデックスを示す変数ｉに初期値としての、例えば１がセットされ、ステップＳ３２に進み、ハードディスク７５から、そこに記録された第ｉ番目の番組表データ（番組表データのうちの制御テキストデータ）が読み出され、ステップＳ３３に進む。ステップＳ３３において、第ｉ番目の番組表データに付随する選択コードが、メモリ９１に記憶されている選択コード（メモリ９１に複数の選択コードが記憶されている場合には、その複数のうちのいずれか）と一致するか否かが判定される。ステップＳ３３において、第ｉ番目の番組表データに付随する選択コードが、メモリ９１に記憶されている選択コードと一致すると判定された場合、ステップＳ３４に進み、その選択コードを含む制御テキストデータのうちの時刻情報を参照しながら、ＶＴＲ９２に対するテレビ番組の録画予約が、上述したようにして行われる。
【０１１１】
一方、ステップＳ３３において、第ｉ番目の番組表データに付随する選択コードが、メモリ９１に記憶されている選択コードと一致しないと判定された場合、ステップＳ３４をスキップして、ステップＳ３５に進み、ハードディスク７５からの、番組表データの読み出しが、すべて終了したか否かが判定される。ステップＳ３５において、ハードディスク７５から読み出すべき番組表データが、まだあると判定された場合、ステップＳ３６に進み、変数ｉが１だけインクリメントされ、ステップＳ３２に戻る。これにより、ステップＳ３２では、次の番組表データが、ハードディスク７５から読み出され、その後、ステップＳ３３以下の処理が繰り返される。
【０１１２】
一方、ステップＳ３５において、ハードディスク７５から読み出すべき番組表データがないと判定された場合、即ち、ハードディスク７５からの、番組表データの読み出しが、すべて終了した場合、処理を終了する。
【０１１３】
以上の処理によれば、視聴者は、録画を希望するテレビ番組のジャンルを指示するだけで、その指示されたジャンルのテレビ番組の録画予約が、ＶＴＲ９２に対して行われる。従って、さらに容易に録画予約を行うことができる。
【０１１４】
次に、この受信装置２２では、判定回路１０１から出力される、いま受信されているテレビ番組の選択コードを用いて、ＶＴＲ９２に、所望するテレビ番組の録画を行わせるようにすることができるようになされている。
【０１１５】
即ち、図１２で説明したようにして、メモリ９１に、視聴者が録画を希望するジャンルの選択コードが記憶されている場合において、判定回路１０１によって、いま受信されているテレビ番組の選択コードが、デスクランブル回路５２の出力から抽出され、制御回路８２に出力されると、制御回路８２では、判定回路１０１からの選択コードと、メモリ９１に記憶された選択コード（メモリ９１に複数の選択コードが記憶されている場合には、その複数のうちのいずれか）とが一致するか否かが判定される。
【０１１６】
そして、判定回路１０１からの選択コードが、メモリ９１に記憶されている選択コードと一致する場合、即ちいま受信しているテレビ番組のジャンルが、視聴者が指示したジャンルと一致する場合、制御回路８２は、ＶＴＲ９２の記録動作を開始させる制御を行う。
【０１１７】
従って、この場合も、録画を希望するテレビ番組のジャンルを指示するだけで、その指示されたジャンルのテレビ番組の録画が行われることになる。
【０１１８】
なお、本実施例においては、送信装置１で、番組のジャンルを表す選択コードを、その番組のビデオ信号に重畳するようにしたが、選択コードは、この他、例えば図２に示したオーディオ系のデータの「データ」の部分（データチャンネル）に配置するようにすることも可能である。
【０１１９】
さらに、本実施例では、タッチセンサ９３を介して、図８や図９に示した選択マーク表示画面における選択マークを、視聴者に指示（選択）させるようにしたが、その他の指示手段（例えば、マウスやジョイスティックなど）を用いて指示させるようにすることができる。
【０１２０】
また、本実施例では、送信装置１にスクランブル回路３２を設けるようにしたが、番組に、スクランブルをかける必要がなければ、このスクランブル回路３２は設けずに、送信装置１を構成するようにすることができる。この場合、受信装置２２は、デスクランブル装置５２を設けずに構成することができるようになる。
【０１２１】
さらに、本実施例では、選択マーク（選択コード）の一覧表を、送信装置１から受信装置２２に伝送するようにしたが、この一覧表は、例えば受信装置２２のメモリ９１内にあらかじめ記憶させておくようにすることができる。
【図面の簡単な説明】
【０１２２】
【図１】本発明を適用した衛星放送システムの一実施例の構成を示す図である。
【図２】図１の実施例におけるオーディオ系のデータ（オーディオチャンネル）のフォーマットを示す図である。
【図３】図２におけるデータチャンネルのフォーマットを示す図である。
【図４】本発明における番組表データの構造を説明する図である。
【図５】図４の実施例における番組表のデータ構成を説明する図である。
【図６】図４の１つの番組表の表示例を示す図である。
【図７】選択コードが重畳されたビデオ信号を示す図である。
【図８】最上位の階層に属する選択マーク表示画面を示す図である。
【図９】図８の選択マーク「スクリーン」の下位の階層に属する選択マーク表示画面を示す図である。
【図１０】図１の送信装置１の詳細構成を示すブロック図である。
【図１１】図１の受信装置２２の詳細構成を示すブロック図である。
【図１２】図１１における受信装置２２のＣＲＴ５５に選択マーク表示画面が表示され、選択マークが選択される場合の処理を説明するフローチャートである。
【図１３】図１１における制御回路８２が、ＶＴＲ９２に対する録画予約を行う場合の動作を説明するフローチャートである。
【符号の説明】
【０１２３】
１  送信装置，  ２  パラボラアンテナ，  １１  衛星，  ２１  パラボラアンテナ，  ２２  受信装置，  ３１  合成回路，  ３２  スクランブル回路，  ３３  変調回路，  ３４  Ａ／Ｄ変換器，  ３５  合成回路，  ４１  Ａ／Ｄ変換器，  ４３  合成回路，  ４４  Ａ／Ｄ変換器，  ５１  復調回路，  ５２  デスクランブル回路，  ５４  合成回路，  ５５  ＣＲＴ，  ５６  分離回路，  ５７  Ｄ／Ａ変換器，  ５８  合成回路，  ５９  スピーカ，  ７１  分離回路，  ７５  ハードディスク，  ７６，７７  Ｄ／Ａ変換器，  ７８  キャラクタジェネレータ，  ８１  入力部，  ８２  制御回路，  ９１  メモリ，  ９２  ＶＴＲ（ビデオテープレコーダ），  ９３  タッチセンサ，  １０１  判定回路
【図１】
2004312758.tif 000003
【図２】
2004312758.tif 000004
【図３】
2004312758.tif 000005
【図４】
2004312758.tif 000006
【図５】
2004312758.tif 000007
【図６】
2004312758.tif 000008
【図７】
2004312758.tif 000009
【図８】
2004312758.tif 000010
【図９】
2004312758.tif 000011
【図１０】
2004312758.tif 000012
【図１１】
2004312758.tif 000013
【図１２】
2004312758.tif 000014
【図１３】
2004312758.tif 000015